(57)【要約】      （修正有）【課題】眼球体を手動で回動させるための操作部が外観上目立たず、人形玩具の髪を梳かす際にも邪魔にならないようにした人形玩具を提供する。【解決手段】眼の位置に形成された開口部１４から眼球体３４を覗かせた頭部と、前記頭部の内部で前記眼球体３４を回動可能に保持するとともに、眼球体３４を回動させるための操作板２９を有する回動装置とを備える。前記頭部の表面には、開口部１４とは別に長孔が形成され、長孔からは、操作板２９の縁部が操作可能に露出しており、操作板２９の縁部が長孔の長手方向に揺動させられたときに眼球体３４が回動する。【選択図】図９
0003164038.tif 000002
【実用新案登録請求の範囲】
【請求項１】
眼の位置に形成された開口部から眼球体を覗かせた頭部と、
前記頭部の内部で前記眼球体を回動可能に保持するとともに、前記眼球体を回動させるための操作板を有する回動装置と、
を有し、
前記頭部の表面には、前記開口部とは別に長孔が形成され、
前記長孔からは、前記操作板の縁部が操作可能に露出しており、
前記操作板の縁部が前記長孔の長手方向に揺動させられたときに前記眼球体が回動することを特徴とする、人形玩具。
【請求項２】
前記操作板の縁部は、前記長孔の幅よりも長い弧を有する円弧状であることを特徴とする、請求項１記載の人形玩具。
【請求項３】
前記操作板の縁部は、前記頭部の表面よりも内側に配置されることを特徴とする、請求項１又は２記載の人形玩具。
【請求項４】
前記頭部の頭頂部には、頭髪を植毛した頭髪部が設けられ、
前記長孔は、前記頭髪で隠れるように設けられていることを特徴とする、請求項１〜３のいずれかに記載の人形玩具。
【考案の詳細な説明】
【技術分野】
【０００１】
この考案は、頭部を有する人形玩具に関し、特に、眼球体を手動で回動させることができる人形玩具に関するものである。
【背景技術】
【０００２】
従来、眼球体を手動で回動させることができる人形玩具が知られており、例えば特許文献１には、操作スティックを上下左右に動かすことで眼球体が上下左右に動く人形玩具が開示されている。
【先行技術文献】
【特許文献】
【０００３】
【特許文献１】特開平５−２８５２７４号公報
【考案の概要】
【考案が解決しようとする課題】
【０００４】
しかし、上記した特許文献１記載の人形玩具では、操作スティックが後頭部に突出するため、見栄えが悪く、また、人形玩具の髪を梳かすときに邪魔になるという問題があった。
【０００５】
そこで、本考案は、眼球体を手動で回動させるための操作部が外観上目立たず、人形玩具の髪を梳かす際にも邪魔にならないようにした人形玩具を提供することを課題とする。
【課題を解決するための手段】
【０００６】
本考案は、上記した課題を解決するためになされたものであり、以下を特徴とする。
【０００７】
（請求項１）
請求項１に記載の考案は、以下の点を特徴とする。
【０００８】
すなわち、請求項１に記載の人形玩具は、眼の位置に形成された開口部から眼球体を覗かせた頭部と、前記頭部の内部で前記眼球体を回動可能に保持するとともに、前記眼球体を回動させるための操作板を有する回動装置と、を有し、前記頭部の表面には、前記開口部とは別に長孔が形成され、前記長孔からは、前記操作板の縁部が操作可能に露出しており、前記操作板の縁部が前記長孔の長手方向に揺動させられたときに前記眼球体が回動することを特徴とする。
【０００９】
（請求項２）
請求項２に記載の考案は、上記した請求項１記載の考案の特徴点に加え、以下の点を特徴とする。
【００１０】
すなわち、前記操作板の縁部は、前記長孔の幅よりも長い弧を有する円弧状であることを特徴とする。
【００１１】
（請求項３）
請求項３に記載の考案は、上記した請求項１又は２記載の考案の特徴点に加え、以下の点を特徴とする。
【００１２】
すなわち、前記操作板の縁部は、前記頭部の表面よりも内側に配置されることを特徴とする。
【００１３】
（請求項４）
請求項４に記載の考案は、上記した請求項１〜３のいずれかに記載の考案の特徴点に加え、以下の点を特徴とする。
【００１４】
すなわち、前記頭部の頭頂部には、頭髪を植毛した頭髪部が設けられ、前記長孔は、前記頭髪で隠れるように設けられていることを特徴とする。
【考案の効果】
【００１５】
本考案は上記の通りであり、眼球体を回動させるための操作板が、頭部の表面に形成された長孔から操作可能に露出している。そして、この操作板の縁部が揺動させられたときに眼球体が回動するようになっている。このため、操作板の縁部のみが頭部の表面に露出しているだけなので、操作板が外観上目立たない。また、人形玩具の頭髪の裏側に長孔を設けた場合でも、髪を梳かす際に邪魔にならない。
【００１６】
また、前記操作板の縁部を、前記長孔の幅よりも長い弧を有する円弧状とすれば、この円弧状の縁部の一部のみが長孔から露出することとなり、更に操作板が外観上目立たず、人形玩具の頭髪の裏側に長孔を設けた場合でも、人形玩具の髪を梳かす際にも邪魔にならないようにすることができる。
【００１７】
また、前記操作板の縁部を、前記頭部の表面よりも内側に配置すれば、更に操作板が外観上目立たず、人形玩具の頭髪の裏側に長孔を設けた場合でも、人形玩具の髪を梳かす際にも邪魔にならないようにすることができる。また、操作板の縁部が露出した長孔の部分が凹んで形成されるため、長孔が髪の裏側にあって視認できない場合でも、指の感触のみで操作板を探し当てて操作することができる。
【図面の簡単な説明】
【００１８】
【図１】人形玩具の正面図である。
【図２】人形玩具の背面図である。
【図３】回動装置の斜視図である。
【図４】回動装置の分解斜視図である。
【図５】回動装置の（ａ）平面図（ｂ）正面図である。
【図６】回動装置の頭部への納まりを示す説明図であって、（ａ）平面図（ｂ）正面図である。
【図７】回動装置の側面図である。
【図８】回動装置を作動させる様子を示す図であって、（ａ）横断面図（ｂ）正面図である。
【図９】人形玩具が右を見るように回動装置を作動させた様子を示す図であって、（ａ）横断面図（ｂ）正面図である。
【図１０】人形玩具が左を見るように回動装置を作動させた様子を示す図であって、（ａ）横断面図（ｂ）正面図である。
【考案を実施するための形態】
【００１９】
本考案の実施形態について、図を参照しつつ説明する。
【００２０】
本実施形態に係る人形玩具１０は、図１に示すように、眼の位置に形成された左右２つの開口部１４からそれぞれ眼球体３４を覗かせた頭部１１を有している。この頭部１１は、図１及び図２に示すように、正面側に設けられた正面パーツ１３と、背面側に設けられた背面パーツ１５と、を前後に組み合わせて形成され、その内部に眼球体３４を回動可能に保持した回動装置２０が収容されている。また、この頭部１１の頭頂部には、頭髪を植毛した頭髪部１２が装着されている。この頭髪部１２は、ゴム等の弾性材で形成され、特に図示しないが、正面パーツ１３及び背面パーツ１５の上端内周縁にもうけられた溝に嵌め込まれて固定されるものである。
【００２１】
正面パーツ１３は、図１に示すように、人形玩具１０の顔面部を形成し、前述したように、眼の位置に形成された左右２つの開口部１４からそれぞれ眼球体３４を覗かせている。
【００２２】
一方、背面パーツ１５は、図２に示すように、人形玩具１０の後頭部を形成し、この後頭部の表面には略水平方向に伸びる長孔１６が形成されている。この長孔１６は、図２に示すように、頭髪部１２から垂れ下がった頭髪により奥に隠れるようになっており、この長孔１６の奥には、後述する操作板２９の縁部３１が操作可能に露出している。
【００２３】
ここで、正面パーツ１３、背面パーツ１５及び頭髪部１２で覆われた頭部１１の内部には、図３に示すような回動装置２０が収容されている。この回動装置２０の前部には眼球体３４が設けられており、この眼球体３４が前記した正面パーツ１３の開口部１４から覗いている。また、この回動装置２０の後部には操作板２９が設けられており、この操作板２９の縁部３１が前記した背面パーツ１５の長孔１６から露出している。
【００２４】
この回動装置２０は、図４に示すように、正面パーツ１３に固定される上カバー体２１及び下カバー体２３と、この上カバー体２１と下カバー体２３との間に左右に摺動可能に支持されるスライド体２５と、このスライド体２５の背面側に配置される操作板２９と、スライド体２５の正面側に配置される眼球体３４と、を有している。なお、眼球体３４の上部には、まつげなどを接着して眼球体３４を装飾するための目蓋部材３９、及び、この目蓋部材３９を固定するための目蓋カバー３８が設けられている。
【００２５】
上カバー体２１及び下カバー体２３は、上下に組み合わされて正面パーツ１３に固定されるものである。具体的には、図５（ｂ）に示すように、下カバー体２３の正面側には、差込固定部２３ａが突出形成されており、この差込固定部２３ａを図示しない正面パーツ１３の差し込み孔に差し込んで固定する。そして、上カバー体２１の上部には、ネジを挿通可能なネジ固定部２１ａが切欠かれて形成されており、このネジ固定部２１ａを図示しない正面パーツ１３のネジ孔の位置に合わせてネジで締め付け固定する。これにより、回動装置２０が正面パーツ１３に固定されるようになっている。なお、上カバー体２１には、図５（ａ）に示すように、上下に貫通するスライド孔２２が設けられている。このスライド孔２２は左右方向に伸びる長孔として形成されている。
【００２６】
スライド体２５は、上カバー体２１と下カバー体２３との間に挟まれて設けられる部材であり、図４に示すように、上方に向けてガイド突起２８が突出形成されている。このガイド突起２８は、図５（ａ）に示すように、上カバー体２１に形成されたスライド孔２２の短手方向の幅とほぼ等しい直径で形成され、このスライド孔２２を貫通するように配置されている。このため、ガイド突起２８がスライド孔２２に沿って案内されるようになっており、これにより、スライド体２５は上カバー体２１及び下カバー体２３に対して左右に摺動可能に保持されている。
【００２７】
また、このスライド体２５の背面側には中央に第一凹部２６が設けられており、正面側には左右に２つの第二凹部２７が設けられている。背面側の第一凹部２６は、後述するように操作板２９が係合し、操作板２９が操作されたときにこの第一凹部２６を介してスライド体２５が左右に摺動するようになっている。また、正面側の第二凹部２７には眼球体３４が係合し、スライド体２５が左右に摺動したときにこの第二凹部２７を介して眼球体３４が回動するようになっている。
【００２８】
操作板２９は、図４及び図５（ａ）が示すように、眼球体３４を回動させるための略扇状の部材である。この操作板２９は、平面視円弧状の縁部３１を有しており、この円弧の中心点付近には回動軸孔３０が設けられている。操作板２９は、この回動軸孔３０を貫通する回動軸３３により、上カバー体２１及び下カバー体２３に対して回動自在に固定されている。このため、この操作板２９は、回動軸３３を回転中心として、上カバー体２１と下カバー体２３との間で左右に回動可能となっている。
【００２９】
また、操作板２９は、円弧状の縁部３１の反対側に係合部３２が突出形成されており、この係合部３２が上述したスライド体２５の第一凹部２６と係合している。このため、操作板２９が左右に回動操作されたときに、係合部３２が第一凹部２６の側壁を押圧してスライド体２５を左右に摺動させるようになっている。
【００３０】
眼球体３４は、図４に示すように、人間の左右の眼球を模して２つ設けられており、その正面側には瞳孔を模して彩色された瞳孔部３７が装着されている。この眼球体３４は、上下に突出して設けられた支軸３５を有しており、この支軸３５が上カバー体２１及び下カバー体２３に設けられた軸孔２４に挿入されることにより、上カバー体２１及び下カバー体２３に対して回動可能に保持されている。
【００３１】
また、この眼球体３４の背面側には突出部３６が背面方向に突出形成されており、この突出部３６が上述したスライド体２５の第二凹部２７と係合している。すなわち、右の第二凹部２７には右の眼球体３４の突出部３６が係合し、左の第二凹部２７には左の眼球体３４の突出部３６が係合している。このため、上述したように操作板２９が操作されてスライド体２５が摺動したときに、この摺動動作が２つの眼球体３４それぞれに伝達され、２つの眼球体３４が同時に回動するようになっている。
【００３２】
このように構成された回動装置２０は、図６に示すように、正面側の開口部１４から眼球体３４が覗くとともに、背面側の長孔１６から操作板２９の縁部３１が露出するように、頭部１１の内部に収容される。このとき、操作板２９の縁部３１は、図６（ａ）に示すように、長孔１６の幅よりも長い弧を有する円弧状であるので、長孔１６からは操作板２９の縁部３１の一部のみが露出するようになっている。また、操作板２９の縁部３１は、頭部１１の表面よりも内側に配置されているため、頭部１１の表面に操作板２９が出っ張らないように形成されている。更には、この操作板２９の縁部３１は、図７に示すように、頭部１１の表面に沿って目立たなくするために、後頭部の形状に合わせてやや傾斜をつけて形成されている。
【００３３】
この回動装置２０を使用して眼球体３４を回動させる場合には、図８に示すように、頭部１１の後頭部に設けられた長孔１６に指を沿わせ、この長孔１６の内部で露出している操作板２９の縁部３１を指腹部で操作する。すなわち、指腹部で操作板２９の縁部３１を長孔１６の長手方向（左右方向）に揺動させることで、眼球体３４を回動させる。
【００３４】
具体的には、図９に示すように、操作板２９の縁部３１を人形玩具１０の右目の方向に移動させるように操作すると、操作板２９が回動軸３３を中心として揺動する。そして、揺動した操作板２９の係合部３２がスライド体２５を押す。押されたスライド体２５は、ガイド突起２８がスライド孔２２に案内されることにより、スライド孔２２に沿って人形玩具１０の左目の方向に摺動する。そして、このスライド体２５の摺動により、第二凹部２７に係合している眼球体３４の突出部３６が押され、眼球体３４が支軸３５を中心として右方向を見るように回動する。すなわち、図９（ｂ）に示すように、開口部１４から見えている瞳孔部３７の相対位置が移動することにより、人形玩具１０が右方向に視線を移動させた状態となる。
【００３５】
同様に、操作板２９の縁部３１を人形玩具１０の左目の方向に移動させるように操作すると、図１０に示すように、操作板２９が回動軸３３を中心として揺動し、揺動した操作板２９に押されてスライド体２５が右目の方向に摺動する。そして、このスライド体２５の摺動により、第二凹部２７に係合している眼球体３４の突出部３６が押され、眼球体３４が支軸３５を中心として左方向を見るように回動する。すなわち、図１０（ｂ）に示すように、開口部１４から見えている瞳孔部３７の相対位置が移動することにより、人形玩具１０が左方向に視線を移動させた状態となる。
【００３６】
以上説明したように、本実施形態によれば、眼球体３４を回動させるための操作板２９が、頭部１１の表面に形成された長孔１６から操作可能に露出している。そして、この操作板２９の縁部３１が揺動させられたときに眼球体３４が回動するようになっている。このため、操作板２９の縁部３１のみが頭部１１の表面に露出しているので、操作板２９が外観上目立たず、人形玩具１０の髪を梳かす際にも邪魔にならない。
【００３７】
また、操作板２９の縁部３１が、前記長孔１６の幅よりも長い弧を有する円弧状となっているので、この円弧状の縁部３１の一部のみが長孔１６から露出することとなり、更に操作板２９が外観上目立たず、人形玩具１０の髪を梳かす際の邪魔にならない。
【００３８】
また、操作板２９の縁部３１が、頭部１１の表面よりも内側に配置されているため、更に操作板２９が外観上目立たず、人形玩具１０の髪を梳かす際の邪魔にならない。また、操作板２９の縁部３１が露出した長孔１６の部分が凹んで形成されるため、長孔１６が髪の裏側にあって視認できない場合でも、指の感触のみで操作板２９を探し当てて操作することができる。
【符号の説明】
【００３９】
１０  人形玩具
１１  頭部
１２  頭髪部
１３  正面パーツ
１４  開口部
１５  背面パーツ
１６  長孔
２０  回動装置
２１  上カバー体
２１ａ  ネジ固定部
２２  スライド孔
２３  下カバー体
２３ａ  差込固定部
２４  軸孔
２５  スライド体
２６  第一凹部
２７  第二凹部
２８  ガイド突起
２９  操作板
３０  回動軸孔
３１  縁部
３２  係合部
３３  回動軸
３４  眼球体
３５  支軸
３６  突出部
３７  瞳孔部
３８  目蓋カバー
３９  目蓋部材
【図１】
0003164038.tif 000003
【図２】
0003164038.tif 000004
【図３】
0003164038.tif 000005
【図４】
0003164038.tif 000006
【図５】
0003164038.tif 000007
【図６】
0003164038.tif 000008
【図７】
0003164038.tif 000009
【図８】
0003164038.tif 000010
【図９】
0003164038.tif 000011
【図１０】
0003164038.tif 000012